(57)【特許請求の範囲】
【請求項１】
直流モータ及び冷却用ファンを一体化したファンユニットを筐体に取り付けるファンユニット取り付け具であって、
弾性材料を用いて外面が上記筐体の内面に当接可能に構成されると共に、
上記ファンユニットの四隅に嵌合したとき、上記ファンユニットの前後端面と上記ファンユニットの隣接する一対の側面とが内面に当接する凹部と、
上記ファンユニットの角との対向位置に開口し、上記凹部の上記ファンユニットの前後端面に当接する面同士を、上記弾性材料の変形に応じて離間させる切り込み部と、
を備えたことを特徴とするファンユニット取り付け具。
【請求項２】
直流モータ及び冷却用ファンを一体化したファンユニットを筐体に取り付けるファンユニット取り付け具であって、
弾性材料を用いて外面が上記筐体の内面に当接可能に構成されると共に、
上記ファンユニットの四隅に嵌合したとき、上記ファンユニットの前後端面と上記ファンユニットの隣接する一対の側面とが内面に当接する凹部と、
該凹部の上記ファンユニットの隣接する一対の側面に当接する部分に両端側から上記ファンユニットの前後端面に当接する面に平行に切り込まれた複数の第１切り込み部と、上記ファンユニットの上記一対の側面に挟まれた稜との対向部から上記第１切り込み部の間に平行に切り込まれた複数の第２切り込み部とからなり、上記凹部の上記ファンユニットの前後端面に当接する面同士を、上記弾性材料の変形に応じて離間させる切り込み部と、
を備えたことを特徴とするファンユニット取り付け具。
【請求項３】
上記弾性材料がゴム，エラストマー，または膠化状材（ゲル）であることを特徴とする請求項１または２記載のファンユニット取り付け具。
【請求項４】
上記ファンユニットが、上記凹部に嵌合する位置にネジ穴を有し、上記ファンユニット取り付け具を使用しない場合は上記ネジ穴に雄ネジを挿入することによって他の部材に固定可能に構成され、
上記凹部の上記ネジ穴との対向位置に、上記ネジ穴に係合する突起を備えたことを特徴とする請求項１〜３のいずれかに記載のファンユニット取り付け具。
【請求項５】
請求項１〜４のいずれかに記載の４個のファンユニット取り付け具が上記ファンユニットの四隅にそれぞれ嵌合し、
該嵌合状態の上記各ファンユニット取り付け具及び上記ファンユニットが上記筐体に形成された開口部から上記筐体内に挿入され、
上記開口部に蓋をしてその蓋が上記筐体に固定されたことを特徴とするファンユニット取り付け構造。
【発明の詳細な説明】
【０００１】
【発明の属する技術分野】
本発明は、直流モータ及び冷却用ファンを一体化したファンユニットを筐体に取り付けるファンユニット取り付け具、及び、そのファンユニット取り付け具を用いて上記ファンユニットを筐体に取り付けたファンユニット取り付け構造に関する。
【０００２】
【従来の技術】
従来より、直流モータと冷却用ファンとを一体化し、一つのファンユニットとしてパソコン，プリンタ等の各種機器に取り付けることがなされている。また、この種のファンユニットは一般的に、送風方向（以下、前後方向という）の両端面が略正方形の直方体状に構成され、その四隅にネジ穴が形成されている。このように構成されたファンユニットは、上記ネジ穴に雄ネジを挿入することによって各種機器の筐体に固定することができる。
【０００３】
【発明が解決しようとする課題】
ところが、ファンユニットはファンの駆動時に振動を発生するため、この振動が上記筐体に伝達されて騒音となる場合がある。また、上記振動が雄ネジに伝達されるとその雄ネジが緩み、更に騒音が発生する可能性がある。そこで、ファンユニットをゴム製ファスナを介して筐体に取り付けたり、ゴム材に両面粘着テープを取り付けたものをファンユニットと筐体との間に介在させたりすることが考えられる。
【０００４】
しかしながら、これらの方法では、ファンユニットの周囲にゴム材を貼着したりする必要が生じて手間がかかる。また、ゴム材の形状をファンユニットを外周から覆う形状に成形しておけばこのような手間はかからないが、この場合、ファンユニットのサイズ毎にゴム材を成形しておく必要が生じる。
【０００５】
そこで、本発明は、ファンユニットの振動が筐体に伝達されるのを手間をかけずに良好に防止することができ、しかも、種々のサイズのファンユニットに対して適用可能なファンユニット取り付け具及びファンユニット取り付け構造を提供することを目的としてなされた。
【０００６】
【課題を解決するための手段及び発明の効果】
上記目的を達するためになされた請求項１記載の発明は、直流モータ及び冷却用ファンを一体化したファンユニットを筐体に取り付けるファンユニット取り付け具であって、弾性材料を用いて外面が上記筐体の内面に当接可能に構成されると共に、上記ファンユニットの四隅に嵌合したとき、上記ファンユニットの前後端面と上記ファンユニットの隣接する一対の側面とが内面に当接する凹部と、上記ファンユニットの角との対向位置に開口し、上記凹部の上記ファンユニットの前後端面に当接する面同士を、上記弾性材料の変形に応じて離間させる切り込み部と、を備えたことを特徴としている。
【０００７】
このように構成された本発明のファンユニット取り付け具（以下、単に取り付け具ともいう）は、ファンユニットの前後端面及び隣接する一対の側面を凹部の内面に当接させることによってファンユニットの四隅に嵌合される。このため、本発明の取り付け具は、手間をかけずにファンユニットの四隅に取り付けることができる。また、このように嵌合された取り付け具の外面は筐体の内面に当接し、しかも、この取り付け具は弾性材料を用いて構成されているので、本発明の取り付け具を取り付けたことによってファンユニットの振動が筐体に伝達されるのを良好に防止することができる。
【０００８】
更に、本発明の取り付け具は、ファンユニットの前後端面及び隣接する一対の側面を凹部の内面に当接させることによってファンユニットの四隅に嵌合されるので、ファンユニットの上記側面方向の大きさが異なっても良好に適用することができる。しかも、上記前後端面に当接する面同士は切り込み部の作用により弾性材料の変形に応じて離間するので、本発明の取り付け具は、ファンユニットの前後方向の大きさが異なっても良好に適用することができる。このため、本発明の取り付け具は種々のサイズのファンユニットに対して適用することができる。
【０００９】
従って、本発明の取り付け具では、ファンユニットの振動が筐体に伝達されるのを、手間をかけずに良好に防止することができ、しかも、種々のサイズのファンユニットに対して適用することができる。従って、簡単にかつ低いコストで良好に騒音の発生を防止することができるといった効果が生じる。
【００１０】
更に、本発明では、上記切り込み部が、上記ファンユニットの角との対向部で開口している。このため、本発明の取り付け具は、上記角との対向部分が前後方向に容易に圧縮できる。この部分を圧縮すると、凹部のファンユニットに対向する側が開き、取り付け具のファンユニットへの装着が容易になる。従って、本発明では、上記効果に加えて、ファンユニットへの装着を容易にして一層手間をかけずに上記振動の伝達を防止することができるといった効果が生じる。
請求項２記載の発明は、直流モータ及び冷却用ファンを一体化したファンユニットを筐体に取り付けるファンユニット取り付け具であって、
弾性材料を用いて外面が上記筐体の内面に当接可能に構成されると共に、
上記ファンユニットの四隅に嵌合したとき、上記ファンユニットの前後端面と上記ファンユニットの隣接する一対の側面とが内面に当接する凹部と、
該凹部の上記ファンユニットの隣接する一対の側面に当接する部分に両端側から上記ファンユニットの前後端面に当接する面に平行に切り込まれた複数の第１切り込み部と、上記ファンユニットの上記一対の側面に挟まれた稜との対向部から上記第１切り込み部の間に平行に切り込まれた複数の第２切り込み部とからなり、上記凹部の上記ファンユニットの前後端面に当接する面同士を、上記弾性材料の変形に応じて離間させる切り込み部と、
を備えたことを特徴としている。
このように構成された本発明のファンユニット取り付け具（以下、単に取り付け具ともいう）は、ファンユニットの前後端面及び隣接する一対の側面を凹部の内面に当接させることによってファンユニットの四隅に嵌合される。このため、本発明の取り付け具は、手間をかけずにファンユニットの四隅に取り付けることができる。また、このように嵌合された取り付け具の外面は筐体の内面に当接し、しかも、この取り付け具は弾性材料を用いて構成されているので、本発明の取り付け具を取り付けたことによってファンユニットの振動が筐体に伝達されるのを良好に防止することができる。
更に、本発明の取り付け具は、ファンユニットの前後端面及び隣接する一対の側面を凹部の内面に当接させることによってファンユニットの四隅に嵌合されるので、ファンユニットの上記側面方向の大きさが異なっても良好に適用することができる。しかも、上記前後端面に当接する面同士は切り込み部の作用により弾性材料の変形に応じて離間するので、本発明の取り付け具は、ファンユニットの前後方向の大きさが異なっても良好に適用することができる。このため、本発明の取り付け具は種々のサイズのファンユニットに対して適用することができる。
従って、本発明の取り付け具では、ファンユニットの振動が筐体に伝達されるのを、手間をかけずに良好に防止することができ、しかも、種々のサイズのファンユニットに対して適用することができる。従って、簡単にかつ低いコストで良好に騒音の発生を防止することができるといった効果が生じる。更に、このように、切り込み部を単なる切込みによって構成する場合は屑が発生しない。従って、本発明では、廃棄物の低減効果も生じる。
【００１１】
請求項３記載の発明は、請求項１または２記載の構成に加え、上記弾性材料がゴム，エラストマー，または膠化状材（ゲル）であることを特徴としている。
本発明では、上記弾性材料としてゴム，エラストマー，または膠化状材（ゲル）を使用している。これらの弾性材料は、損失係数が大きく振動エネルギを熱エネルギに変換する率の大きい材料である。本発明の取り付け具は、このようにゴム，エラストマー，または膠化状材（ゲル）によって構成されているので、ファンユニットが発生する振動を極めて良好に吸収することができる。従って、本発明では、請求項１または２記載の発明の効果に加えて、ファンユニットの振動が筐体に伝達されるのを一層良好に防止することができるといった効果が生じる。
【００１２】
請求項４記載の発明は、請求項１〜３のいずれかに記載の構成に加え、上記ファンユニットが、上記凹部に嵌合する位置にネジ穴を有し、上記ファンユニット取り付け具を使用しない場合は上記ネジ穴に雄ネジを挿入することによって他の部材に固定可能に構成され、上記凹部の上記ネジ穴との対向位置に、上記ネジ穴に係合する突起を備えたことを特徴としている。
【００１３】
前述のように、一般的なファンユニットは、上記凹部に嵌合する位置（すなわち四隅）にネジ穴を有し、そのネジ穴に雄ネジを挿入することによって他の部材に固定可能に構成されている。このネジ穴は、本発明の取り付け具を嵌合させた場合には使用されない。そこで、本発明の取り付け具では、上記ネジ穴との対向位置に、上記ネジ穴に係合する突起を設けている。このため、本発明の取り付け具をファンユニットの四隅に嵌合させる際、上記ネジ穴と突起との係合によりその取り付け具の位置決めが極めて容易になる。従って、本発明では、請求項１〜３のいずれかに記載の発明の効果に加えて、ファンユニットの四隅に嵌合させる際の位置決めを容易にして、一層手間をかけずにかつ一層良好に上記振動の伝達を防止することができるといった効果が生じる。
【００１４】
請求項５記載の発明は、請求項１〜４のいずれかに記載の４個のファンユニット取り付け具が上記ファンユニットの四隅にそれぞれ嵌合し、該嵌合状態の上記各ファンユニット取り付け具及び上記ファンユニットが上記筐体に形成された開口部から上記筐体内に挿入され、上記開口部に蓋をしてその蓋が上記筐体に固定されたことを特徴とするファンユニット取り付け構造を要旨としている。
【００１５】
本発明のファンユニット取り付け構造では、請求項１〜４のいずれかに記載の４個のファンユニット取り付け具をファンユニットの四隅にそれぞれ嵌合させ、その嵌合状態となった各ファンユニット取り付け具及び上記ファンユニットを上記筐体に形成された開口部から上記筐体内に挿入し、上記開口部に蓋をしてその蓋を上記筐体に固定している。このため、ファンユニットと筐体とが直接接触する部分は全くなく、ファンユニットの振動が筐体に伝達されるのを良好に防止することができる。
【００１６】
しかも、ファンユニットと筐体との間には雄ネジも存在しないので、上記振動の伝達を一層良好に防止することができる。すなわち、ファンユニットが雄ネジによって筐体に固定される場合、その雄ネジを介して振動が伝達される可能性があるが、本発明では、ファンユニットの四隅に上記取り付け具を嵌合させてその取り付け具を外周から囲むことによって筐体に固定しているので、上記振動の伝達経路には必ず取り付け具が存在することになる。従って、本発明では、ファンユニットの振動が筐体に伝達されるのを極めて良好に防止することができる。しかも、請求項１〜４のいずれかに記載のファンユニット取り付け具をファンユニットの四隅に嵌合させ、それを筐体に挿入してから蓋を固定するだけでよいので、極めて手間をかけずに簡単に騒音の発生を防止することができる。
【００１７】
【発明の実施の形態】
次に、本発明の実施の形態を図面と共に説明する。図１（Ａ）は、本発明が適用されたファンユニット取り付け具１０の構成を表す正面図、図１（Ｂ）はその右側面図、図１（Ｃ）はそのＡ−Ａ線断面図、図２は斜視図である。なお、図２の斜視図は、図１（Ｃ）の矢印ＡＡ方向斜め上方から見た形状に対応している。
【００１８】
先ず、この図１，図２で表される取り付け具１０の構成を説明するに当たり、この取り付け具１０がどのように使用されるものであるかを図３の説明図を参照して簡単に説明する。図３に示すように、取り付け具１０は、パソコンの筐体１にファンユニット３を固定するためのものである。ファンユニット３は、冷却用ファン３ａと図示しない直流モータとを一体化した周知のもので、その四隅には雄ネジを挿入して各種機器への固定を行うためのネジ穴３ｂが穿設されている。
【００１９】
本実施の形態の取り付け具１０は、このファンユニット３の四隅に嵌合可能な凹部１０ａを有しており、４個の取り付け具１０がファンユニット３の四隅にそれぞれ嵌合された後（矢印Ｐ参照）、そのファンユニット３と一体に筐体１の受け入れ部１ａに挿入される。受け入れ部１ａは筐体１の内側及び上方に開口しており、取り付け具１０及びファンユニット３は受け入れ部１ａの上方の開口部から挿入される（矢印Ｑ参照）。また、受け入れ部１ａの外側の筐体１には、冷却用ファン３ａが空気を排出するための通風口１ｂが形成されている。
【００２０】
ファンユニット３及び取り付け具１０を受け入れ部１ａに挿入した後、筐体１の上方から蓋５をかぶせ、その蓋５に穿設されたネジ穴５ａに雄ネジとしてのビス７を挿入し、そのビス７を筐体１の雌ネジ部材１ｃ螺合させる。これによって、蓋５が筐体１に固定され、ファンユニット３が受け入れ部１ａより上方に抜け出すのを防止して、ファンユニット３を筐体１に固定することができる。
【００２１】
ここで、取り付け具１０は次のように構成され、ファンユニット３に極めて容易に装着できると共にファンユニット３が発生する振動が筐体１に伝達されるのを極めて良好に防止できる。すなわち、図１，図２に示すように取り付け具１０は、内面がファンユニット３の前後端面に当接する略直角二等辺三角形の一対の底板１１と、内面がファンユニット３の隣接する一対の側面に当接する一対の側板１３とを備えている。この一対の側板１３は各底板１１の互いに直交する辺に立設され、各底板１１と共に制振ゴム（例えば、ＩＩＲ（ブチルゴム），ＮＤＲ，ノルボルナン系ゴム，ウレタンゴム）にて一体成形されている。そして、各底板１１及び側板１３の内面によって前述の凹部１０ａが形成される。
【００２２】
また、各底板１１には、ファンユニット３のネジ穴３ｂに係合する半球状の突起１５が形成されている。更に、側板１３には各底板１１の近傍に両端側から三角形の切り込み部１７がそれぞれ形成され、隣接する側板１３同士が交わる部分の中央には略菱形に開口した穴部を構成する切り込み部１９が形成されている。
【００２３】
このように構成された取り付け具１０は、切り込み部１７，１９の作用により底板１１の間隔を制振ゴムの変形に応じて離間させることができる。このため、取り付け具１０はファンユニット３の前後方向の大きさが異なっても良好に適用することができる。また、取り付け具１０はファンユニット３の四隅に個々に嵌合されるので、ファンユニット３の側面方向の大きさが異なっても良好に適用することができる。従って、取り付け具１０は、ネジ穴３ｂの位置が同様であれば種々のサイズのファンユニット３に対して適用することができる。
【００２４】
しかも、取り付け具１０ではファンユニット３の角との対向位置に菱形に開口した切り込み部１９が形成され、底板１１はこの部分で互いに近接し合う方向に容易に圧縮することができる。このような圧縮を行うと、凹部１０ａのファンユニット３に対向する側が開き、ファンユニット３の四隅に凹部１０ａを極めて容易に嵌合させることができる。また、この嵌合時には突起１５がネジ穴３ｂに係合するので、その取り付け具１０の位置決めも極めて容易である。そして、このような嵌合を行った後、前述の受け入れ部１ａへの挿入を行い、蓋５をかぶせてその蓋５をビス７によって固定すれば、ファンユニット３の装着が完了する。従って、取り付け具１０のファンユニット３への装着及びファンユニット３の筐体１への装着は極めて容易である。
【００２５】
更に、このようにファンユニット３及び取り付け具１０を筐体１に装着した場合、ファンユニット３と筐体１とが直接接触する部分が全くない。従って、本実施の形態では、ファンユニット３の振動が筐体１に伝達されるのを良好に防止することができる。また、前述のように突起１５が取り付け具１０とファンユニット３との位置関係を規定するので、ファンユニット３の振動によって上記位置関係が変化することもなく、一層良好に上記振動の伝達を防止することができる。
【００２６】
しかも、上記振動伝達の防止は、前述のように極めて簡単な作業によって行え、種々のサイズのファンユニット３に対して同一の取り付け具１０を用いて行うことができる。従って、本実施の形態の取り付け具１０を使用すれば、手間をかけずに簡単に、かつ低いコストで良好に騒音の発生を防止することができる。
【００２７】
次に、図４（Ａ）は、他の実施の形態としての取り付け具２０の構成を表す正面図、図４（Ｂ）はその右側面図、図４（Ｃ）はそのＢ−Ｂ線断面図、図５は斜視図である。なお、図５の斜視図は、図４（Ｃ）の矢印ＢＢ方向斜め上方から見た形状に対応している。図４，図５に示すように、取り付け具２０は底板１１と同様の底板２１を備え、その底板２１には、突起１５と同様の突起２５が形成されている。また、底板２１の互いに直交する辺には一対の側板２３が立設され、各底板２１と共に制振ゴムにて一体成形されている。そして、各底板２１及び側板２３の内面によって凹部２０ａが形成される。
【００２８】
取り付け具２０では、各側板２３には円形に開口した一対の切り込み部２７を前後方向（図４の上下方向）に並べてそれぞれ形成し、隣接する側板２３同士が交わる部分の中央にも円形に開口した切り込み部２９を形成している。このように形成された切り込み部２７，２９も、取り付け具１０の切り込み部１７，１９とほぼ同様に作用する。従って、取り付け具２０でも、取り付け具１０とほぼ同様の作用・効果が生じる。
【００２９】
図６（Ａ）は、更に他の実施の形態としての取り付け具３０の構成を表す正面図、図６（Ｂ）はその右側面図、図６（Ｃ）はそのＣ−Ｃ線断面図、図７は斜視図である。なお、図７の斜視図は、図６（Ｃ）の矢印ＣＣ方向斜め上方から見た形状に対応している。図６，図７に示すように、取り付け具３０も底板１１と同様の底板３１を備え、その底板３１には、突起１５と同様の突起３５が形成されている。また、底板３１の互いに直交する辺には一対の側板３３が立設され、各底板３１と共に制振ゴムにて一体成形されている。そして、各底板３１及び側板３３の内面によって凹部３０ａが形成される。
【００３０】
取り付け具３０では、隣接する側板３３同士が交わる部分に、一方の底板３１の近傍から他方の底板３１の近傍に到る細長い長方形に開口した切り込み部３９を形成している。このように形成された切り込み部３９も、取り付け具１０の切り込み部１７，１９とほぼ同様に作用する。従って、取り付け具３０でも、取り付け具１０とほぼ同様の作用・効果が生じる。また、取り付け具３０では、このように一方の底板３１の近傍から他方の底板３１の近傍に到る細長い長方形状の切り込み部３９を設けたため、底板３１をファンユニット３の角に当接する部分で互いに近接し合う方向に圧縮することが一層容易になり、凹部３０ａをファンユニット３の四隅に嵌合させることが一層容易になる。また、嵌合後は、底板３１の上記角の部分が支点となるためファンユニット３から外れ難くなる。
【００３１】
なお、本発明は上記各実施の形態に何等限定されるものではなく、本発明の要旨を逸脱しない範囲で種々の形態で実施することができる。例えば、切り込み部の構成は上記したものの他、六角穴等の種々の形態が考えられ、穴部を構成しない単なる切り込みであってもよい。すなわち、七夕飾りのように切り込み部を形成することによっても、ファンユニットの前後端面に当接する面同士を弾性材料の変形に応じて離間させることができる。
【００３２】
図８は、このような実施の形態としての取り付け具４０を凹部の背後から見た斜視図である。取り付け具４０も底板１１と同様の底板４１を備え、その底板４１の互いに直交する辺に立設された一対の側板４３と共に制振ゴムにて一体成形されている。また、取り付け具４０の側板４３には、両端側から底板４１に平行に切り込まれた複数の切り込み部４７（第１切り込み部に相当）と、隣接する側板４３同士が交わる部分から切り込み部４７の間に平行に切り込まれた複数の切り込み部４９（第２切り込み部に相当）とが形成されている。このように構成された取り付け具４０では、単なる切り込みによって構成された切り込み部４７，４９が開くことによって底板４１同士が離間する。
【００３３】
前述の各実施の形態のように、開口した穴部や切欠を構成する切り込み部を打ち抜きや切除によって形成する場合はゴム等の屑が発生するが、本実施の形態のように切り込み部を単なる切り込みによって構成する場合は屑が発生しない。従って、この場合、廃棄物の低減効果が生じる。
【００３４】
また、底板１１，２１，３１，４１は突起１５，２５，３５等を有さない平板状のものであってもよく、この場合、ネジ穴３ｂの位置が異なるファンユニット３にも適用できる。また、突起１５，２５，３５の部分に雄ネジが貫通するネジ穴を有していてもよく、この場合、ネジ穴３ｂに雄ネジを挿入して従来と同様にファンユニット３を固定することができる。但し、ファンユニット３が雄ネジによって筐体１に固定される場合、その雄ネジを介して振動が伝達される可能性があるが、上記各実施の形態では、ファンユニット３の四隅に上記取り付け具を嵌合させてその取り付け具を外周から囲むことによって筐体１に固定しているので、ファンユニット３から筐体１への振動の伝達経路には必ず取り付け具が存在することになる。従って、上記各実施の形態では、ファンユニット３の振動が筐体１に伝達されるのを一層良好に防止することができる。
【００３５】
更に、上記各取り付け具を構成する弾性材料は、制振ゴムでなくてもよく、他のゴム、或いはそれ以外の弾性材料（例えば発泡樹脂）であってもよい。但し、制振ゴムは無反発ゴムとも呼ばれ、損失係数が大きく振動エネルギを熱エネルギに変換する率の大きい材料である。上記各実施の形態の取り付け具は、このような制振ゴムによって構成されているので、ファンユニット３が発生する振動を極めて良好に吸収することができ、上記振動が筐体１に伝達されるのを一層良好に防止することができる。また更に、取り付け具の外周面は円筒面に内接する形状等であってもよい。
【図面の簡単な説明】
【図１】本発明が適用された取り付け具の構成を表す正面図，右側面図，及び断面図である。
【図２】その取り付け具の構成を表す斜視図である。
【図３】その取り付け具の使用状態を表す説明図である。
【図４】本発明の他の実施の形態としての取り付け具の構成を表す正面図，右側面図，及び断面図である。
【図５】その取り付け具の構成を表す斜視図である。
【図６】本発明の更に他の実施の形態としての取り付け具の構成を表す正面図，右側面図，及び断面図である。
【図７】その取り付け具の構成を表す斜視図である。
【図８】本発明の更に他の実施の形態としての取り付け具の構成を表す斜視図である。
【符号の説明】
１…筐体                  １ａ…受け入れ部          １ｂ…通風口
３…ファンユニット        ３ａ…冷却用ファン        ３ｂ，５ａ…ネジ穴
５…蓋      ７…ビス      １０，２０，３０…ファンユニット取り付け具
１０ａ，２０ａ，３０ａ…凹部                  １１，２１，３１…底板
１３，２３，３３…側板                        １５，２５，３５…突起
１７，１９，２７，２９，３９…切り込み部
【図１】
0003602769.tif 000002
【図２】
0003602769.tif 000003
【図３】
0003602769.tif 000004
【図４】
0003602769.tif 000005
【図５】
0003602769.tif 000006
【図６】
0003602769.tif 000007
【図７】
0003602769.tif 000008
【図８】
0003602769.tif 000009